(57)【要約】      （修正有）【課題】地肌に接したときに肌触りが良く、不快感や違和感が生じることがない上に、見た目にも清潔な状態で繰り返し使用することができる生理用ナプキンを提供する。【解決手段】体液吸収パッド５によって吸収された体液が前記体液吸収パッド５から外側に漏れ出さないよう前記枠部分４とは熱圧着により一体化された状態で前記体液吸収パッド５を覆うパッド被覆用防水布６と、このパッド被覆用防水布６の全面を覆う状態で前記枠状防水布３、パッド被覆用防水布６とは外周縁での縫着により一体化された表生地７とを備え、前記体液吸収パッド５は、表生地７側に向かって順次、地肌に接する第一層８、この第一層８を通過した体液を吸収する第二層９、この第二層９による体液吸収量を拡散させるメッシュ体よりなる第三層１０およびこの第三層１０によって拡散した体液を吸収する第四層１１より構成されている。【選択図】図１
0003145193.tif 000002
【実用新案登録請求の範囲】
【請求項１】
裏側から順に、
中央開口を有する枠状防水布と、
前記中央開口を覆う状態で前記枠状防水布の枠部分における前記中央開口の周囲にその周縁部が縫着されることにより装着されている体液吸収パッドと、
この体液吸収パッドによって吸収された体液が前記体液吸収パッドから外側に漏れ出さないよう前記枠部分とは熱圧着により一体化された状態で前記体液吸収パッドを覆うパッド被覆用防水布と、
このパッド被覆用防水布の全面を覆う状態で前記枠状防水布、パッド被覆用防水布とは外周縁での縫着により一体化された表生地と
を備え、
前記体液吸収パッドは、表生地側に向かって順次、地肌に接する第一層、この第一層を通過した体液を吸収する第二層、この第二層による体液吸収量を拡散させるメッシュ体よりなる第三層およびこの第三層によって拡散した体液を吸収する第四層より構成されており、
さらに、前記第一層は、前記体液吸収パッドの長手方向に直角な幅方向に伸縮しうるポリプロピレン繊維からなるフライス編地よりなることを特徴とする生理用ナプキン。
【請求項２】
前記体液吸収パッドは、前記長手方向の全長または略全長にわたって略平行に延び、前記第一層から前記第四層までを縫着する複数の縫着線を有するとともに、
前記枠状防水布は綿製であり、前記パッド被覆用防水布はポリエステル製である一方、前記第二層、第四層は、レーヨン繊維で構成された不織布、レーヨン繊維とアクリル繊維とを混合した不織布、綿のいずれかであり、
また、前記第三層は、ポリエステル繊維からなるメッシュ編地で構成される請求項１に記載の生理用ナプキン。
【考案の詳細な説明】
【技術分野】
【０００１】
この考案は、繰り返し使用することができる生理用ナプキンに関するものである。
【背景技術】
【０００２】
従来この種の生理用ナプキンとして、特開２００６−３１４６２５号公報に示すように、地肌に接する部分に布を用いた体液吸収パッドを有するものがある。
【０００３】
この体液吸収パッドは、主に五層を有する構成になっており、地肌に接する側から順に、地肌に接したときに不快感が生じないように柔らかい生地の布製の起毛地で形成される第一層と、逆流防止層として機能するメッシュ地からなる第二層と、第二層の編目を通過した生理時に出てくる経血（体液の一例）を吸収する綿等で形成される第三層と、経血などを通さないように防水加工が施された第四層と、例えば第一層とほぼ同様の起毛地で形成される第五層とを備えている。
【考案の開示】
【考案が解決しようとする課題】
【０００４】
しかしながら、地肌に接する部分に布製の起毛地を用いているので、経血による汚れが付きやすく、生理用ナプキンを洗濯した後には、前記汚れのシミはその都度残るおそれがり、その結果、繰り返し使用できるにしても見た目にも清潔な状態で使用するのが難しい、という課題がある。
【０００５】
この考案は、上述の事柄に留意してなされたもので、その目的は、地肌に接したときに肌触りが良く、不快感や違和感が生じることがない上に、見た目にも清潔な状態で繰り返し使用することができる生理用ナプキンを提供することである。
【課題を解決するための手段】
【０００６】
上記目的を達成するために、この考案の生理用ナプキンは、
裏側から順に、
中央開口を有する枠状防水布と、
前記中央開口を覆う状態で前記枠状防水布の枠部分における前記中央開口の周囲にその周縁部が縫着されることにより装着されている体液吸収パッドと、
この体液吸収パッドによって吸収された体液が前記体液吸収パッドから外側に漏れ出さないよう前記枠部分とは熱圧着により一体化された状態で前記体液吸収パッドを覆うパッド被覆用防水布と、
このパッド被覆用防水布の全面を覆う状態で前記枠状防水布、パッド被覆用防水布とは外周縁での縫着により一体化された表生地と
を備え、
前記体液吸収パッドは、表生地側に向かって順次、地肌に接する第一層、この第一層を通過した体液を吸収する第二層、この第二層による体液吸収量を拡散させるメッシュ体よりなる第三層およびこの第三層によって拡散した体液を吸収する第四層より構成されており、
さらに、前記第一層は、前記体液吸収パッドの長手方向に直角な幅方向に伸縮しうるポリプロピレン繊維からなるフライス編地よりなることを特徴としている（請求項１）。
【０００７】
この考案において、第一層を構成するポリプロピレン繊維からなるフライス編地は公知のフライス編機によって編成されており、畝を付けて孔を空ける編組織とする。その孔の大きさおよび厚さは体液の水滴（水分）を液体の状態で素早く通過させることのできるものであり、孔の数、孔の大きさ、厚みは適宜設定できる。さらに、このポリプロピレン繊維からなるフライス編地は、繊維そのものが高度の揆水性を備えており、第一層の表面に体液の水滴を静かに落とした場合には、第一層によって弾かれて水の表面張力によって水玉を形成し、少し外力を加えて水玉となった水滴および第一層を押圧すると、この水玉は第一層直下にある第二層に接触し、第二層に拡がりながら吸収されうる。
そして、第二層に吸収された体液の水滴は、第二層直下にあるメッシュ体よりなる第三層に接触する。このメッシュ体は、これに体液の水滴が一旦接触すると接触した体液の水滴を逆流させないように作用するものであり、体液吸収量を拡散させながら一定量の体液の水滴を保水する機能を有する。すなわち、第一層直下にある第二層のみでは体液の水滴を全て吸収することができない場合、第二層からの体液の水滴はメッシュ体よりなる第三層に接触するとともに、第三層に既に保水されている体液の水滴の一部が第三層の直下にある第四層に吸収されることになる。このように水滴（水分）の表面張力によって水滴（水分）全量が第一層の表面に残ることなく素早く第二層に吸収されるとともに、長期にわたりメッシュ体よりなる第三層において一定量が保水され続けられるものであり、第一層表面への体液の水滴の戻りを確実に防止できる。すなわち、地肌に接する第一層の表面には、水分が残留することがなく、たとえ残っていたとしても、ごく微量であるので、濡れた不快感を使用者に与えることはない。
【０００８】
また、この考案では、前記枠状防水布は綿製であるのが好ましく、その場合、前記枠状防水布は肌に優しい。
【考案の効果】
【０００９】
この考案では、地肌に接する部分にフライス編機によって編成されたポリプロピレン繊維からなるフライス編地を用いている。すなわち、この発明では、第一層のポリプロピレン繊維は一般に染色しにくく、特殊な染料以外では染色できないという特性を利用している。そのため、第一層には、生理時に出てくる経血（体液の一例）による汚れは付きにくい。しかも、上述したように経血を第一層に戻さない構成を第二層から第四層よって実現できるので、生理用ナプキンを洗濯した後には、第一層における前記汚れのシミは殆ど残るおそれはない。よって、地肌に接する部分に布製の起毛地を用いている従来に比べて見た目にも清潔な状態で繰り返し使用できる回数が増えることになる。
【００１０】
また、この考案では、地肌に接する第一層をフライス編地で構成したので、地肌に接する部分をメッシュ体で構成した場合に比べて、地肌に接したときに肌触りが良く、不快感や違和感が生じることはない。
また、この考案では、体液吸収パッドを四層構造としたので、薄くて軽くでき、そのため着用感がよいとともに、第一層をフライス編地で構成したので、体液吸収パッドの長手方向に直角な幅方向の伸縮性が大きいため、地肌に対するフィット性をより向上させることができる。
【００１１】
さらに、この考案では、全量が第一層の表面に残ることなく素早く第二層に吸収されるとともに、長期にわたりメッシュ体よりなる第三層において体液吸収量を拡散させながら一定量が保水され続けられるものであり、第一層表面への体液の戻りを確実に防止できるので、濡れた不快感を使用者に与えることはない。
また、この考案では、メッシュ体よりなる第三層は、第二層で吸収した体液の吸収量を拡散させながら一定量の体液を保水する機能を有するので、第一層直下にある第二層のみでは体液を全て吸収することができない場合、第二層からの体液はメッシュ体よりなる第三層に接触するとともに、第三層に保水されている体液の一部が第三層の直下にある第四層で殆ど全て確実に吸収することができ、第四層から体液が漏れ出すおそれはない。
そして、この考案では、体液吸収パッドの周縁部を挟むよう枠状防水布およびパッド被覆用防水布を設け、枠状防水布の枠部分とこれに対応するパット被覆用防水布の周囲部分を熱圧着により一体化したので、体液吸収パッドの第四層からパッド被覆用防水布側に、たとえ経血が漏れ出しても、また、例えば、体液吸収パッドの長手方向の全長または略全長にわたって略平行に延びるよう形成した複数の縫着線（縫着糸）で第一層から第四層を縫着して一体化した場合において、経血がこれら縫着糸を伝わって第一層から第四層まで通過して体液吸収パッドからパッド被覆用防水布側に経血が漏れだしても、体液吸収パッドおよびパッド被覆用防水布間に形成される隙間を介して経血が外側に漏れ出すのを確実に防止できる。
【考案を実施するための最良の形態】
【００１２】
以下、この考案の実施形態を、図を参照しながら説明する。なお、それによってこの考案は限定されるものではない。
【００１３】
図１〜図５は、この考案の一実施形態を示す。図１は体液吸収パッドを含む生理用ナプキンの断面構造を示し、図２は生理用ナプキンを構成する部材の分解斜視図を示し、図３は体液吸収パッドを構成する四層構造の分解斜視図を示す。また、図４は裏側から見た生理用ナプキンを示し、図５は表側から見た生理用ナプキンを示す。
【００１４】
図１〜図５において、生理用ナプキン１は、裏側から順に、
平面視略楕円形状の中央開口２を有する枠状防水布３と、
前記中央開口２を覆う状態で前記枠部分４における前記中央開口２の周囲Ａにその周縁部Ｂが縫着されることにより装着されている平面視略楕円形状の体液吸収パッド５と、
この体液吸収パッド５によって吸収された体液が前記体液吸収パッド５から外側に漏れ出さないよう前記枠部分４とは熱圧着により一体化された状態で前記体液吸収パッド５を覆うパッド被覆用防水布６と、
このパッド被覆用防水布６の全面を覆う状態で前記枠状防水布３、パッド被覆用防水布６とは外周縁での縫着により一体化された表生地７と
を主として備えている。
そして、被覆用防水布６と表生地７は同一形状であり、また、例えば被覆用防水布６から前記中央開口２に相当する部分を切り抜いた形状のものが枠状防水布３の形状になるよう構成されている。表生地７には模様７ａが施されている。
８は、枠部分４とパッド被覆用防水布６との熱圧着部分を示す。９は、枠状防水布３、パッド被覆用防水布６、表生地７の各外周縁Ｃ，Ｄ，Ｅを重ね合わせた状態で挟み込むように設けられた短冊状布で、前記各外周縁の全周にわたって縫着されている。その縫着糸１０は平面視千鳥状に縫われている。また、枠部分４の周囲Ａと体液吸収パッド５の周縁部Ｂの縫着も縫着糸１１によって平面視千鳥状に縫われている。
【００１５】
前記体液吸収パッド５は、表生地７側に向かって順次、地肌に接する第一層１２、この第一層１２を通過した体液を吸収する第二層１３、この第二層１３による体液吸収量を拡散させるメッシュ体よりなる第三層１４およびこの第三層１４によって拡散した体液を吸収する第四層１５より構成されている。
さらに、前記第一層１２は、前記体液吸収パッド５の長手方向（両矢印Ｌで示す方向）に直角な幅方向（両矢印Ｍで示す方向）に伸縮しうるポリプロピレン繊維からなるフライス編地よりなる。
また、前記体液吸収パッド５は、前記Ｌ方向の全長にわたって略平行に延び、前記第一層１２から前記第四層１５までを縫着する複数の縫着線（縫着糸）１６を有する。
また、前記枠状防水布３は綿製であり、前記パッド被覆用防水布６はポリエステル製である一方、前記第二層１３、第四層１５は、例えばレーヨン繊維で構成された不織布、レーヨン繊維とアクリル繊維とを混合した不織布、綿のいずれかであり、
また、前記第三層１４は、ポリエステル繊維からなるメッシュ編地で構成されている。  
【００１６】
さらに、枠状防水布３は、中央開口２を形成する楕円形リング部分３ａと、中央開口２を挟んでＬ方向に対し左右対称な中央位置に形成された一対の円弧状部分２１，２２を有する。
また、パッド被覆用防水布６および表生地７は、それぞれ、楕円形リング部分３に重なるように中央に形成された平面視略楕円形状部分６ａ，７ａを有し、楕円形状部分６ａ，７ａの長手方向に対し左右対称な中央位置で円弧状部分２１，２２に重なるように形成された一対の円弧状部分２１’，２２’を有する。
【００１７】
また、生理用ナプキン１の下着に対する取り付け方法は次の通りである。すなわち、下着の股部の適切な位置にこの生理用ナプキン１を円弧状部分２１，２２、２１’，２２’が開いた状態で押し当て、円弧状部分２１，２２、２１’，２２’を下着の股部後側に交互に持っていき、表生地７の円弧状部分２１’と枠状防水布３の円弧状部分２２に取り付けられている樹脂製のスナップボタン２３ａ，２３ｂ、２４で下着の股部に固定する。この際、下着への取り付けを調整できるように、複数のボタン２３ａ，２３ｂが設けられている。そして、樹脂製のスナップボタン２３ａ，２３ｂ、２４を用いているので、洗濯しても錆び難いという利点を有する。ボタン２３ａ，２３ｂは布３０を介して表生地７の円弧状部分２１’の適宜の位置に取り付けられている。また、ボタン２４は布３１を介して枠状防水布３の円弧状部分２２の適宜の位置に取り付けられている。
【００１８】
而して、地肌に接する第一層１２にフライス編機によって編成されたポリプロピレン繊維からなるフライス編地を用いている。そのため、第一層１２には、経血による汚れは付きにくい。しかも、経血を第一層１２に戻さない構成を第二層１３から第四層１５によって実現できるので、生理用ナプキン１を洗濯した後には、第一層１２における前記汚れのシミは殆ど残るおそれはない。よって、地肌に接する部分に布製の起毛地を用いている従来に比べて見た目にも清潔な状態で繰り返し使用できる回数が増えることになる。
また、地肌に接する第一層１２をフライス編地で構成したので、地肌に接する部分をメッシュ体で構成した場合に比べて、地肌に接したときに肌触りが良く、不快感や違和感が生じることはない。
また、体液吸収パッド５を四層構造としたので、薄くて軽くでき、そのため着用感がよいとともに、第一層１２をフライス編地で構成したので、体液吸収パッド５の幅方向（Ｍ方向）の伸縮性が大きいため、地肌に対するフィット性をより向上させることができる。  さらに、経血の全量が第一層１２の表面１２ａに残ることなく素早く第二層１３に吸収されるとともに、長期にわたりメッシュ体よりなる第三層１４において経血吸収量を拡散させながら一定量が保水（保持）され続けられるものであり、第一層表面１２ａへの経血の戻りを確実に防止できるので、濡れた不快感を使用者に与えることはない。
また、メッシュ体よりなる第三層１４は、第二層１３で吸収した経血の吸収量を拡散させながら一定量の経血を保水する機能を有するので、第一層１２直下にある第二層１３のみでは経血を全て吸収することができない場合、第二層１３からの経血はメッシュ体よりなる第三層１４に接触するとともに、第三層１４に保水されている経血の一部が第三層１４の直下にある第四層１５で殆ど全て確実に吸収することができ、第四層１５から経血が漏れ出すおそれはない。
そして、体液吸収パッド５の周縁部を挟むよう枠状防水布３およびパッド被覆用防水布６を設け、枠状防水布３の枠部分４とこれに対応するパット被覆用防水布６の周囲部分を熱圧着により一体化したので、体液吸収パッド５の第四層１５からパッド被覆用防水布６側に、たとえ経血が漏れ出しても、また、例えば、体液吸収パッド５の長手方向（Ｌ方向）の全長または略全長にわたって略平行に延びるよう形成した複数の縫着線（縫着糸）１６で第一層１２から第四層１５を縫着して一体化した場合において、経血がこれら縫着糸１６を伝わって第一層１２から第四層１５まで通過して体液吸収パッド５からパッド被覆用防水布６側に経血が漏れだしても、体液吸収パッド５およびパッド被覆用防水布６間に形成される隙間を介して経血が外側に漏れ出すのを確実に防止できる。
【図面の簡単な説明】
【００１９】
【図１】この考案の一実施形態を示す縦断面図である。
【図２】上記実施形態を示す全体分解斜視図である。
【図３】上記実施形態で用いた体液吸収パッドの斜視図およびその分解斜視図である。
【図４】上記実施形態を示す裏面図である。
【図５】上記実施形態を示す表面図である。
【符号の説明】
【００２０】
１      生理用ナプキン
２      中央開口
３      枠状防水布
４      枠部分
５      体液吸収パッド
６      パッド被覆用防水布
７      表生地
１２    第一層（ポリプロピレン繊維からなるフライス編地）
１３    第二層（レーヨン繊維で構成された不織布）
１４    第三層（ポリエステル繊維からなるメッシュ編地）
１５    第四層（レーヨン繊維で構成された不織布）
Ａ      周囲
Ｂ      周縁部
【図１】
0003145193.tif 000003
【図２】
0003145193.tif 000004
【図３】
0003145193.tif 000005
【図４】
0003145193.tif 000006
【図５】
0003145193.tif 000007